(57)【要約】【課題】樹木や公園樹木、街路樹、庭木などの樹木を伐採することなく、放射能に汚染されている樹皮の表面を簡単な方法で除染し、廃棄物の処理も容易な樹木の放射能除染方法を提供するものである。【解決手段】樹木１の周囲をパイプ支柱９にシート１０を取付けた飛散防止囲いで囲うと共に、この内側の地面に除染水回収槽１１を設け、研磨材収納箱２２から研磨材となる砂２５を吸引する分岐ホース２１を、高圧洗浄機１３の噴射ノズル１８に取付け、高圧水２４を噴射すると共に研磨材収納箱２２から砂２５を吸引して樹皮の表面に噴射して、樹皮に付着した放射性物質を除去するものである。【選択図】  図１
2015001498.tif 000002
【特許請求の範囲】
【請求項１】
研磨材収納箱から研磨材を吸引する研磨材ホースを、高圧洗浄機の噴射ノズルに取付け、高圧水を噴射すると共に研磨材収納箱から研磨材を吸引して樹皮の表面に噴射して、樹皮に付着した放射性物質を除去することを特徴とする樹木の放射能除染方法。
【請求項２】
樹木の周囲を飛散防止囲いで囲うと共に、この内側の地面に除染水回収槽を設け、研磨材収納箱から研磨材を吸引する研磨材ホースを、高圧洗浄機の噴射ノズルに取付け、高圧水を噴射すると共に研磨材収納箱から研磨材を吸引して樹皮の表面に噴射して、樹皮に付着した放射性物質を除去することを特徴とする樹木の放射能除染方法。
【請求項３】
研磨材として川砂または山砂もしくは石砂を用いることを特徴とする請求項１または２記載の樹木の放射能除染方法。
【請求項４】
高圧洗浄機の噴射ノズルから噴射する高圧水の圧力を１０〜３０ＭＰａとしたことを特徴とする請求項１または２記載の樹木の放射能除染方法。
【発明の詳細な説明】
【技術分野】
【０００１】
本発明は、放射能で汚染された樹木の樹皮表面から放射性物質を除去する方法に関するものである。
【背景技術】
【０００２】
原子力発電所の事故により、発電所で多量の放射能物質を含む汚染水が発生すると共に広範囲に亘って放射能が拡散する問題が発生した。平坦な道路や広場、畑や水田などは比較的除染が容易であるが、公園樹木、街路樹、庭木等は除染が難しく、多くが伐採されている問題がある。また伐採した樹木の保管場所の確保や処分などの多くの問題がある。樹木の汚染状況は、特に表面の樹皮が汚染され、内部の木質部はほとんど汚染されていない。
【０００３】
原子力発電所等で使用されている原子炉機器や周辺装置、配管、使用工具など等の放射能で汚染されている汚染物の除染方法として、例えば放射性汚染物をメチレンクロライド液により洗浄し、放射性汚染物の表面の付着物を除去して除染し、付着物を含有するメチレンクロライド液を濾過して付着物を除去する方法（特許文献１）がある。
【０００４】
しかしながら、この放射能汚染物の除染方法は、汚染物を装置に入れてメチレンクロライド液で除染するもので、屋外の自然に生えている樹木の除染には使用できなかった。
【０００５】
また樹木に発生した茸類や菌類、黴類、害虫、腐食部分などを除去するクリーニング方法としては、準備工程で天然鉄アミノ酸製剤液及び植物抽出ミネラルを主成分とする植物活力資材液の少なくとも一方を樹木に散布し、洗浄工程で植物抽出ミネラルを主成分とする植物活力資材液又は水を樹木の有害付着物に対して高圧で吹き付けて樹皮を洗浄し有害付着物を剥離させ、後工程で樹皮の洗浄部分に抗菌・抗黴効果のあるコーティング液を塗布する方法（特許文献２）がある。
【０００６】
しかしながらこの方法では植物活力資材液を樹木に散布し、水を高圧で吹き付けて樹皮を洗浄した後、コーティングして樹勢を回復させ維持させることはできるが、水を高圧で樹皮に吹き付けても樹皮に付着した放射性セシウムや放射性ヨウ素などの放射性物質を除去することはできなかった。
【先行技術文献】
【特許文献】
【０００７】
【特許文献１】特開平５−１５００９４
【特許文献２】特開２００６−１６６７０８
【発明の概要】
【発明が解決しようとする課題】
【０００８】
本発明は上記問題を改善し、樹木や公園樹木、街路樹、庭木などを伐採することなく、放射能に汚染されている樹皮の表面を簡単な方法で除染し、廃棄物の処理も容易な樹木の放射能除染方法を提供するものである。
【課題を解決するための手段】
【０００９】
本発明の請求項１記載の樹木の放射能除染方法は、研磨材収納箱から研磨材を吸引する研磨材ホースを、高圧洗浄機の噴射ノズルに取付け、高圧水を噴射すると共に研磨材収納箱から研磨材を吸引して樹皮の表面に噴射して、樹皮に付着した放射性物質を除去することを特徴とするものである。
【００１０】
本発明の請求項２記載の樹木の放射能除染方法は、樹木の周囲を飛散防止囲いで囲うと共に、この内側の地面に除染水回収槽を設け、研磨材収納箱から研磨材を吸引する研磨材ホースを、高圧洗浄機の噴射ノズルに取付け、高圧水を噴射すると共に研磨材収納箱から研磨材を吸引して樹皮の表面に噴射して、樹皮に付着した放射性物質を除去することを特徴とするものである。
【００１１】
本発明の請求項３記載の樹木の放射能除染方法は、請求項１または２において、研磨材として川砂または山砂もしくは石砂を用いることを特徴とするものである。
【００１２】
本発明の請求項４記載の樹木の放射能除染方法は、請求項１または２において、高圧洗浄機の噴射ノズルから噴射する高圧水の圧力を１０〜３０ＭＰａとしたことを特徴とするものである。
【発明の効果】
【００１３】
本発明に係る請求項１記載の樹木の放射能除染方法によれば、砂の混じった高圧水を樹皮表面に噴射することにより、砂の研磨作用で樹皮を剥ぎ取ることなく、凸凹面に強固に付着した放射性物質を効果的に除去して除染することができる。しかも従来のように樹木を伐採する必要がないので、廃棄物の処理も容易である。
【００１４】
また請求項２記載の樹木の放射能除染方法によれば、樹木の周囲を飛散防止囲いで囲うと共に、この内側の地面に除染水回収槽を設けて、砂の混じった高圧水を樹皮表面に噴射することにより、砂の研磨作用で樹皮を剥ぎ取ることなく、凸凹面に強固に付着した放射性物質を効果的に除去して除染することができる。更に水回収槽で回収した除染水は、放射能汚染水除去装置などで放射性物質を除去することができる。
【００１５】
また請求項３記載の樹木の放射能除染方法によれば、研磨材として川砂に限らず、山砂や石を粉砕した石砂を用いれば安価である。
【００１６】
また請求項４記載の樹木の放射能除染方法によれば、高圧洗浄機の噴射ノズルから噴射する高圧水の圧力を１０〜３０ＭＰａとすることにより、樹皮を剥ぎ取ることなく、凸凹面に強固に付着した放射性物質を効果的に除去することができる。
【発明を実施するための最良の形態】
【００１７】
以下本発明の実施の一形態を図１ないし図３を参照して詳細に説明する。図１は樹木１の放射能を除染している状態を示すもので、図中左は除染前の樹木１である。先ず除染する樹木１の近くに高所作業車２を寄せて停車させ、ブーム３の先端に取付けたバケット４に作業者５が乗ってブーム３を伸ばし、枝６を剪定する。この後、ブーム３を下げてから樹木１を囲むように、間隔をおいてパイプ支柱９を地面に立設する。この後、パイプ支柱９にシート１０を円形の１／４から１／３を開けて取付ける。またシート１０の内側の地面の上に樹木１を囲むようにシート１０を取付けて除染水回収槽１１を形成する。
【００１８】
図２は高圧洗浄機１３を示すもので、このポンプ１４の吸引側にホース１５で水タンク１４に接続され、またポンプ１４の吐出側にホース１５で噴射ノズル１８の後端に取付けたハンドル１９に接続されている。このハンドル１９にはレバー２０が設けられ、レバー２０を引くことにより水が噴射するようになっている。また噴射ノズル１８の先端側には研磨材ホースとなる分岐ホース２１が取付けられ、この下端部は研磨材収納箱２２の砂２５内に挿入されている。
【００１９】
図３は回収された放射能汚染水から放射性物質を除去する放射能汚染水除去装置である。これは汚染水貯水タンク２７が給水ポンプ２８で沈殿槽２９の上部に接続され、沈殿槽２９の側面の上下に排水コック３１が設けられていると共に、底部に沈殿室３０が形成されて、この下に容器３５が置かれている。
【００２０】
次に樹木１の樹皮に付着している放射性物質を除染する方法について説明する。先ず除染する樹木１の近くに高所作業車２を寄せて停車させ、ブーム３の先端に取付けたバケット４に、高圧洗浄機１３の噴射ノズル１８を持った作業者５が乗ってブーム３を伸ばし、シート１０の隙間から剪定した樹木１の近くに寄る。
【００２１】
この後、高圧洗浄機１３のポンプ１４を駆動させ、噴射ノズル１８のハンドル１９に取付けたレバー２０を引くと、このポンプ１４の吸引側に接続したホース１５で水タンク１４内の水を吸引して、噴射ノズル１８の先端から高圧水２４が高速で噴射される。
【００２２】
噴射ノズル１８の先端から高圧水２４が高速で噴射されると、噴射ノズル１８の先端側には分岐ホース２１から研磨材収納箱２２の砂２５が吸い上げられて、高圧水２４と共に噴射される。噴射する高圧水２４の圧力は１０〜３０ＭＰａの比較的低圧が望ましい。また砂２５としては粒径が０．５ｍｍ以下の細粒が好ましく、これより大きいと樹皮を剥がしてしまう恐れがある。
【００２３】
このように砂２５の混じった高圧水２４を樹皮表面に噴射することにより、砂２５の研磨作用で樹皮を剥ぎ取ることなく、凸凹面に強固に付着した放射性物質を効果的に除去して除染することができる。
【００２４】
除染した砂２５と高圧水２４は樹木１を囲むように地面に設けた除染水回収槽１１で回収される。この回収した砂や葉、ゴミの混ざった水は図示しないタンクローリーなどにポンプで吸い上げて、図３に示す放射能汚染水除去装置２６の近くに運ぶ。ここで図示しない沈殿タンクに入れて暫く静置し、葉やゴミをすくい取ると共に、砂２５を沈殿させてから上澄み液だけを、図３に示す放射能汚染水除去装置２６の汚染水貯水タンク２７に供給する。
【００２５】
汚染水貯水タンク２７に溜められた汚染水は、給水ポンプ２８で沈殿槽２９に供給する。次に沈殿槽２９の上部から吸着剤粉末である焼結した粘性土粉末やパーライト粉末、ゼオライト粉末を散布して、これが放射性物質を吸着、付着しながらゆっくり沈降し、沈殿した吸着剤粉末は沈殿室３０に溜まり、上部に上澄み液が残る。
【００２６】
この後、水止めバルブ３２を閉じて、上澄み液と沈殿物を分離する。次に沈殿槽２９の側面に設けた排水コック３１を開いて、上部側と下部側の上澄み液を外部に排水することにより、除染された上澄み液を攪拌することなく円滑に排出することができる。この除染された上澄み液はそのまま河川に放流することができる。次に排出バルブ３３を開いてこの下方に置いた容器３５に排出して保管場所に送る。
【００２７】
図４は本発明の他の実施の形態を示すもので、背丈の低い樹木１を除染する場合で、パイプ支柱９にシート１０を円形に囲んで飛散防止囲いを形成し、この内側の地面の上に樹木１を囲むようにシート１０を取付けて除染水回収槽１１を形成して、砂２５の混じった高圧水２４を樹皮表面に噴射することにより、砂２５の研磨作用で樹皮を剥ぎ取ることなく、凸凹面に強固に付着した放射性物質を効果的に除去して除染することができる。
【実施例】
【００２８】
桜の汚染樹木の樹皮の放射線量は１３，１００Ｂｑ／Ｋｇであったが、本発明方法により平均粒径０．１ｍｍの粉末状川砂２５を混ぜた高圧水２４を１５ＭＰａで吹き付けて除染した。除染後の樹皮の放射線量は１，５５０Ｂｑ／Ｋｇとなり、低減率は８８．１６８％で著しい除染効果が得られた。また樹皮は傷められず表面はきれいになり、樹勢が回復した。
【００２９】
なお砂２５としては川砂に限らず山砂や石を粉砕した石砂を用いても良い。また研磨材としては砂以外のものを用いても良い。また所定の長さに切断したキノコ栽培木の表面に砂２５を混ぜた高圧水２４を吹き付けて除染することもできる。
【図面の簡単な説明】
【００３０】
【図１】本発明の実施の一形態による高い樹木の放射能を除染している状態を示す説明図である。
【図２】図１の放射能汚染水除去装置を示す正面図である。
【図３】放射能汚染水除去装置を示す正面図である。
【図４】低い樹木の放射能を除染している状態を示す説明図である。
【符号の説明】
【００３１】
１    樹木                                                  
２    高所作業車    
３    ブーム  
４    バケット  
５    作業者    
６    枝      
９    パイプ支柱  
１０  シート  
１１  除染水回収槽    
１３  高圧洗浄機  
１４  ポンプ      
１５  ホース    
１６  水タンク  
１８  噴射ノズル
１９  ハンドル  
２０  レバー  
２１  分岐ホース  
２２  研磨材収納箱  
２４  高圧水    
２５  砂    
２６  放射能汚染水除去装置        
２７  汚染水貯水タンク  
２８  給水ポンプ    
２９  沈殿槽    
３０  沈殿室    
３１  排水コック
３２  水止めバルブ  
３３  排出バルブ
３５  容器  
【図１】
2015001498.tif 000003
【図２】
2015001498.tif 000004
【図３】
2015001498.tif 000005
【図４】
2015001498.tif 000006